(57)【要約】      （修正有）【課題】水素ガスを呼吸器系から効率よく吸引することができると共に水素ガスを多量に発生させることが可能な水素ガス発生装置を提供する。【解決手段】水素ガス発生容器３内の電解液を電極６により電気分解して水素ガスを発生させると共にこの発生した水素ガスを吸引チューブ２３から口と鼻を覆う吸引マスク２４を用いて吸引し、呼吸器系から水素ガスを体内に取り込む。吸引装置２５は吸引マスク内に空気流入口から呼吸に必要な空気が導入されることにより、吸引者には十分な酸素が確保される。【選択図】図７
2015217116.tif 000002
【特許請求の範囲】
【請求項１】
電解液を電気分解して水素ガスを発生させると共にこの発生した水素ガスを口と鼻を覆う吸入マスクを用いて直接呼吸器系から体内にとり込むこと、を特徴とする水素ガスの吸引方法。
【請求項２】
ａ．電解液を入れ、この電解液中に＋、−極からなる電極を浸漬すると共に該電極を直流電源に接続して水素ガスを発生するための水素ガス発生容器と、
ｂ．前記水素ガス発生容器上に配置されていて、内部に飲料水を充填して成る水コップと、
ｃ．前記水素ガス発生容器内に発生した水素ガスが前記水コップ内に移行するように前記水素ガス発生容器の上部空間から水素ガスを吸引し、この吸引した水素ガスを水コップ内に充填した飲料水中に送入するための水素ガスチューブと、
ｄ．水素ガス吸引者の口と鼻を覆うように顔面に密着して装着自在の吸引マスクと、この吸引マスクにおいて、自然空気を外部からとり入れるために形成された逆止弁付の空気取入口と、吸引マスク内から排気を吸引マスク外に排出するために設けられた逆止弁付の排気口と、前記水コップ内の上部空間と水素ガス吸引チューブで結ばれた逆止弁付の水素ガス吸引口と、
ｅ．から成る水素ガス吸引装置。
【請求項３】
前記空気取入口には取り入れる空気量を調整するために開口面積を調節自在のシャッターが取り付けられていること、を特徴とする請求項２に記載の水素ガス吸引装置。
【請求項４】
前記水素ガス発生容器には、容器内の上部空間が一定圧以下に低下すると逆止弁が開いて外気を水素ガス発生容器内に導入するための空気導入装置が設けられていること、を特徴とする請求項２に記載の水素ガス吸引装置。
【発明の詳細な説明】
【技術分野】
【０００１】
本発明は、水素ガスを効率的に発生させて効率良く吸引するための方法とその装置に関する。
【背景技術】
【０００２】
水素ガスが活性酸素の発生を抑制したり、消去する作用を有することから、この水素ガスを体内に取り込む方法として、所謂水素ガスが溶存した水素水を飲む方法と、水素ガスを直接口又は鼻から呼吸器系を経由して取り込む方法があることは広く知られている。
【０００３】
例えば、水素水として取り込む方法として特許文献１には、電気分解した水素ガスを飲料水中に高濃度で溶存させる水素水の提案がある。
【０００４】
また、水素ガスを呼吸器系を経由してそのままとり込む方法として、特許文献２には、電気分解して生成した水素ガスを吸入具を用いて口あるいは鼻から吸引する方法の提案がある。
【０００５】
しかし、前記特許文献１の場合は、その機能を高めるためには水素水を大量に飲む必要があるため、取り込む量には限界がある。
また、特許文献２の場合は、水素ガスを効率良く吸引するには限界があるため、一定量を吸引するには時間がかかると共に水素ガスを効率的に発生させたり、吸引するための装置の紹介はない。
【先行技術文献】
【特許文献】
【０００６】
【特許文献１】特開２００７−２５４４３５号公報
【特許文献２】特開２０１３−１４６３７３号公報
【発明の概要】
【発明が解決しようとする課題】
【０００７】
本発明の目的は、口及び鼻等の呼吸器系から高濃度の水素ガスを効率良く体内にとり込むことができる水素ガスの吸引方法とその装置を提供することである。
【課題を解決するための手段】
【０００８】
上記目的を達成するために請求項１において提案する本願発明は、水素ガスの吸引方法において、電解液を電気分解して水素ガスを発生させると共にこの発生した水素ガスを口と鼻を覆う吸入マスクを用いて直接呼吸器系から体内にとり込むことを特徴とするものである。
【０００９】
また、請求項２において提案する本願発明は、水素ガス吸引装置において、ａ．電解液を入れ、この電解液中に＋、−極からなる電極を浸漬すると共に該電極を直流電源に接続して水素ガスを発生するための水素ガス発生容器と、ｂ．前記水素ガス発生容器上に配置されていて、内部に飲料水を充填して成る水コップと、ｃ．前記水素ガス発生容器内に発生した水素ガスが前記水コップ内に移行するように前記水素ガス発生容器の上部空間から水素ガスを吸引し、この吸引した水素ガスを水コップ内に充填した飲料水中に送入するための水素ガスチューブと、ｄ．水素ガス吸引者の口と鼻を覆うように顔面に密着して装着自在の吸引マスクと、この吸引マスクにおいて、自然空気を外部からとり入れるために形成された逆止弁付の空気取入口と、吸引マスク内から排気を吸引マスク外に排出するために設けられた逆止弁付の排気口と、前記水コップ内の上部空間と水素ガス吸引チューブで結ばれた逆止弁付の水素ガス吸引口と、から成ることを特徴とするものである。
【００１０】
また、請求項３において提案する本願発明は、請求項２に記載の水素ガス吸引装置において、前記空気取入口には取り入れる空気量を調整するために開口面積を調節自在のシャッターが取り付けられていることを特徴とするものである。
【００１１】
また、請求項４において提案する本願発明は、請求項２に記載の水素ガス吸引装置において、前記水素ガス発生容器には、容器内の上部空間が一定圧以下に低下すると逆止弁が開いて外気を水素ガス発生容器内に導入するための空気導入装置が設けられていることを特徴とするものである。
【発明の効果】
【００１２】
請求項１に記載の発明によると、電解液を電気分解して水素ガスを発生させるため、高濃度の水素ガスを大量に発生させることができると共に発生した水素ガスを口と鼻を覆う吸引マスクを利用して吸引するため、水素ガスを無駄なく効率的に吸引することができる。
このため、吸引時間の大幅な短縮が可能である。
【００１３】
また、請求項２に記載の発明によると、水素ガスをコンパクトな装置で発生させることができると共に発生した水素ガスを口及び鼻を覆うマスクから無駄なく、確実に吸引し、体内に取り込むことができる。
【００１４】
また、吸引マスクは口と鼻を覆うため、呼吸にともなう吸排気の処理を逆止弁により円滑に行い、併せて吸引マスク内への外気の吸い込み量を必要最少限に制御して水素ガス濃度の稀釈化を防止することができる。
【図面の簡単な説明】
【００１５】
【図１】本発明に係る水素ガス発生装置の正面図
【図２】Ａ−Ａ’線断面図
【図３】空気導入装置の説明図
【図４】吸引マスクの内面図
【図５】吸引マスクの縦断側面図
【図６】吸引マスク内の給排気装置の説明図
【図７】水素ガスを吸引している状態の説明図
【発明を実施するための形態】
【００１６】
図１〜図７に基づいて本発明に係る水素ガスの吸引方法とその装置の実施例を詳細に説明する。
【００１７】
図１及び図２は、水素ガス発生装置の全体を示す説明図であって、図１は一部切欠正面図、図２はＡ−Ａ’断面図である。この水素ガス発生装置１は、ベース２の上にアクリル樹脂等で成形された透明な水素ガス発生容器３が形成されていて、この水素ガス発生容器３内には炭酸カリウム等の電解液４が上部に少しの空間５を残して充填されていると共にこの電解液４内には＋極６ａと−極６ｂを並列させてなる電極６が浸漬されていて、この電極６には、プラグ７から入力されたＡＣ１００Ｖを１２Ｖに降圧する電源アダプター８、電源コントロール基板９から電圧が印加されることにより、電解液４を水素ガスと酸素に電気分解を行い、この水素ガスと酸素（所謂「ブラウンガス」）は水素ガス発生容器３内の上部空間５内に充満する。
【００１８】
図２において符号の１０は電極ガードである。
【００１９】
１１は、水素ガス発生容器３の天板３ａの中央に設けられた空気導入装置であって、この空気導入装置１１は、図３にその構造が具体的に開示されており、外気を空気吸引口１２から逆止弁１３を経由して装置１１内に導入し、天板３ａに設けた流入口１４を介して水素ガス発生容器３内の空間５に送入し、空間５内の圧力が一定値以上になると前記逆止弁１３が閉じ、以下になると逆止弁１３が開いて水素ガス発生容器３（空間５）内の圧力を制御する。
【００２０】
図３において、１５は水素ガス発生容器３の天板３ａ上にネジ１７を用いて着脱自在に取り付けられた水コップ台であって、この水コップ台１５の底板１５ａの上に前記空気導入装置１１が取り付けられていると共に上向きの環壁１６が形成されていて、この環壁１６内に水コップ１８の底部１８ａが着脱自在に組み付けられている。
【００２１】
水コップ１８は透明なガラス又はプラスチック製品であって、内部には飲料水１９が充填されている。
【００２２】
２１は水コップ１８の蓋、２２は、水素ガス発生容器３の上部空間５と水コップ１８内の空間２０を結ぶ水素ガスチューブであって、空間５内に充満した水素ガスは、この水素ガスチューブ２２の先端２２ａから水コップ１８内に位置する出口２２ｂから飲料水１９中に送入されたのち、飲料水１９中をバブリングして空間２０内に充満する。
【００２３】
この充満した水素ガスは、水コップ１８内の空間２０に先端２３ａが導入された水素ガス吸引チューブ２３から図４〜図５に示す吸引マスク２４内に設けた吸引装置２５内に導入される。
【００２４】
上記吸引マスク２５は、シリコンゴムにて成形されていて、顔面に密着し、外からの空気の侵入を阻止し、併せて水素ガスの漏洩を阻止する。
【００２５】
２６は耳掛け紐を示す。
【００２６】
２７は、前記した吸引装置２５内に設けた水素ガス導入室であって、前記した水素ガス吸引チューブ２３はこの水素ガス導入室２７の底部に結ばれていて、吸引チューブ２３から吸引された水素ガスは、一旦導入室２７に入り、水素ガス流入口２８の逆止弁２９を介して吸引マスク２４内に流入する。
【００２７】
前記した水素ガス流入口２８の逆止弁２９は、吸引マスク２４内が呼吸により−圧になると開いて水素ガス吸引チューブ２３から水コップ１８内の水素ガスを吸引して吸引マスク２３内に導入し、吸引マスク２４内の圧力が排気により＋圧になると閉じる。
【００２８】
また、吸引マスク２４内が呼吸時の排気により＋圧になると、吸引装置２５に設けた排気室３０の排気口３１の逆止弁３２が開き、排気は排気流出口３３から吸引マスク２４の外に排出される。
【００２９】
３４は吸引マスク２４に設けた空気流入口であって、この空気流入口３４には空気流入量を調節するシャッター３５が設けてあり、個人差による吸気量はこのシャッター３５の開度により調節を行うことができる。
【００３０】
なお、前記した逆止弁１３、２９、３２は、逆止弁に弾性体を採用するか、弱いコイルスプリングを基部に取り付けて開閉のタイミングを調整している。
次に、以上に説明した水素ガス発生装置１の作用により発生した水素ガスの吸引方法を図７を中心として説明する。
【００３１】
使用に際しては図７に示すように、プラグ７をＡＣ電源コンセント７ａに差し込み、電源アダプター８で１２Ｖに降圧した電圧を電極６に印加することにより、水素ガス発生容器３内の電解液４が電気分解されて空間５内に水素ガスが充満する。
【００３２】
なお、電気分解により発生するガスは水素ガスと酸素が２：１で発生しており、通常この状態の混合ガスは前記のとおりブラウンガスと称されるが、本願においては、このブラウンガスをすべて水素ガスと総称して使用している。
【００３３】
水素ガス発生器３内に発生した水素ガスは、空間５から水素ガスチューブ２２を経由して水コップ１８内の水中に差圧で送入される。
【００３４】
この水中に送入された水素ガスは、バブリングして水コップ１８内の空間２０内に充満し、この充満した水素ガスは吸引マスク２４内が負圧化されることにより逆止弁２９が開いて水素ガス流入口２８から吸引マスク２４内に流入し、吸引者の口及び鼻から吸引され、呼吸器系から体内に吸収される。
【００３５】
この吸入時に吸引マスク２４内において排気口３１の逆止弁３２は閉じている。
なお、呼吸において、吸引マスク２４内には空気流入口３４から水素ガスに併せて呼吸に必要な空気が吸引マスク２４内に導入されることにより、吸引者には十分な酸素が確保される。
【００３６】
前記水コップ１５は透明な樹脂又はガラス製となっていて、下部の水素ガス発生容器３内で発生した水素ガスをこの透明な水コップ１５内に送入することにより、気泡の流れで水素ガス吸引チューブ２３から吸入マスク２４内に吸引されている様子が判る。
【００３７】
その際、水コップ１５内の水に果汁類やコラーゲン粉末等を入れておくと、水だけの場合は１ｐｐｍ程度の溶存量が５〜１５％程度アップすることができ、この水コップ１５内の水１９と飲み易い水素水として提供することもできる。
【００３８】
水素ガス発生容器３内の電解液４は電気分解中発熱によって温度が上昇し、水素ガス発生容器３内の上部空間５や水素ガスチューブ２２、空間２０、水素ガス吸引チューブ２３内に水蒸気が充満する。
【００３９】
そして、電気分解を停止すると水蒸気が水に戻り空間５は真空状態となるので、水コップ１５内の水は大気圧で水素ガス発生容器３内に逆流する。
【００４０】
この逆流した水は、電解液の濃度を薄めたり、必要以上に水位を高めるなど不都合な事象を生じさせる。
【００４１】
これを防ぐには使用後直ちに水コップ１８の蓋２１を外して大気圧に戻せば防ぐことができるが、失念することが多いため、自動的に水素ガス発生容器３内の気圧を負圧の状態から大気圧の状態に戻す必要があり、そこで、圧力が低下した場合水素ガス発生容器３又は水素ガスチューブ２２に圧力調整用の自動弁をつけて水素ガス発生容器３の圧力を大気圧と同等に保つ手段を講じておくのも一策である。
【００４２】
人間の呼気は排気の時間よりも通常は長い（吸気の時間が短い）ため、水素ガスは吸気・排気に関係なくコンスタントに発生していることから、呼気のときに発生してくる水素ガスの全量は吸入できず無駄になってしまうことになる。
【００４３】
そこで、吸入マスク２４に呼気のときは弁を作動させてガスの吸入を一旦止めて、その間水素ガス吸引チューブ２３等の空間に水素ガスを蓄積しておき、吸気の時に逆止弁３２を開いて止めておいた水素ガスを一気に吸気させると、発生した水素ガスを実質２倍相当分有効に利用することができる。
【００４４】
図１において、３６は水素ガス発生容器３内の電解液４の水位をチェックするための水位覗き窓である。
【符号の説明】
【００４５】
１  水素ガス発生装置
２  ベース
３  水素ガス発生容器
４  電解液
５  空間
６  電極
７  プラグ
８  電源アダプター
９  電源コントロール基板
１０  電極ガード
１１  空気導入装置
１２  空気吸引口
１３  逆止弁
１４  流入口
１５  水コップ台
１５ａ  底板
１６  環壁
１７  ネジ
１８  水コップ
１８ａ  底部
１９  飲料水
２０  空間
２１  蓋
２２  水素ガスチューブ
２２ａ  吸引口
２２ｂ  出口
２３  水素ガス吸引チューブ
２３ａ  吸引口
２４  吸引マスク
２５  吸引装置
２８  水素ガス流入口
２９  逆止弁
３１  排気口
３２  逆止弁
３３  排気流出口
３４  空気流入口
【図１】
2015217116.tif 000003
【図２】
2015217116.tif 000004
【図３】
2015217116.tif 000005
【図４】
2015217116.tif 000006
【図５】
2015217116.tif 000007
【図６】
2015217116.tif 000008
【図７】
2015217116.tif 000009